(57)【要約】      （修正有）【課題】ピザの焼成などに用いる鉄板であって、仕上げ時に被せる蓋体との間に隙間を形成して熱源の熱排気を鍋の加熱に利用してエコ加熱を行い、鉄板と蓋体との間に簡単に熱排気誘導用の隙間を簡単に形成できる蓋支持部付き鉄板を提供する。【解決手段】熱源１により下方から加熱され、上部が蓋体３で覆われる鉄板２であって、鉄板２の周辺の適所より外方に一体に蓋支持部４が連出され、蓋体３を蓋支持部４により保持した状態で、蓋体３内周と鉄板２の外周との間に熱気導入隙間５が形成されるようにした。【選択図】図１
0003211771.tif 000002
【実用新案登録請求の範囲】
【請求項１】
熱源１により下方から加熱され、上部が蓋体３で覆われる鉄板２であって、鉄板２の周辺の適所より外方に一体に蓋支持部４が連出され、蓋体３を蓋支持部４により保持した状態で、蓋体３内周と鉄板２の外周との間に熱気導入隙間５が形成されるようにして成る蓋支持部付き鉄板。
【請求項２】
熱源１により下方から加熱され、上部が蓋体３で覆われる鉄板２であって、鉄板２の周辺の適所より外方に一体に蓋支持部４が連出され、蓋体３を蓋支持部４により保持した状態で、蓋体３内周と鉄板２の外周との間に熱気導入隙間５が形成されると共に、当該鉄板２の外周に上記蓋支持部4より連出して形成された枠部６を熱源１のケーシング７に保持させるようにして成る蓋支持部付き鉄板。
【考案の詳細な説明】
【技術分野】
【０００１】
本考案は、ガスコンロ等の燃焼系の熱源で加熱してピザを簡易に調理するための鉄板に関するものである。
【背景技術】
【０００２】
一般にピザは本格的に焼き上げる場合は、専用の石窯や専用調理器を使うが、家庭やアウトドアで簡便に焼く場合は、家庭用コンロやカセットコンロにフライパンを載せて焼くことが多い。
【０００３】
そしてピザをフライパンで焼く場合、途中で上を蓋体で覆い、熱気をピザ上に籠らせて上面からも加熱することになるが、蓋体の保持は一般にフライパンの上に載せて被せるだけであったので、ピザの上面には熱気の供給がなく、上面もパリッとした焼き上がりに仕上がりにくい欠点があった。
【０００４】
本考案は、これらの従来の欠点を解消しようとするもので、フライパンに代えて鉄板で焼くようにし、熱排気を鉄板上に載せられたピザ上面に簡単かつ効率良く誘導してピザの上面も簡単にパリッと焼き上げることができるようにしようとするものである。
【０００５】
熱排気を鍋の上面に導入するものとしては例えば特許文献１に見られるが、ピザを焼く鉄板の場合では、鉄板に蓋体が密着してしまうことになるので、熱排気の導入は行えなかった。
【０００６】
【特許文献１】特開２０１０−１７２３５１号公報
【考案の開示】
【考案が解決しようとする課題】
【０００７】
本考案は、熱排気を鉄板上に載せられたピザ上面に簡単かつ効率良く誘導してピザの上面も簡単にパリッと焼き上げることができるようにしようとしたものである。
【課題を解決するための手段】
【０００８】
本考案の第１の特徴は、熱源１により下方から加熱され、上部が蓋体３で覆われる鉄板２であって、鉄板２の周辺の適所より外方に一体に蓋支持部４が連出され、蓋体３を蓋支持部４により保持した状態で、蓋体３内周と鉄板２の外周との間に熱気導入隙間５が形成されるようにしたものである。
【０００９】
本考案の第２の特徴は、それに加え、上記蓋支持部４をその外周に形成された枠部６で連続させ、その枠部６で鉄板２を熱源１のケーシング７に保持させるようにして、熱源１器具への装着を簡便にしたものである。
【考案の効果】
【００１０】
本考案にあっては、上記のような構成であるので、図１のように燃焼系の熱源１の熱排気aは蓋体３と鉄板２との隙間を熱気導入隙間５とし、鉄板２上のピザ表面側に誘導されてピザのような素材の表面の加熱の補助として使用され、ピザ表面をパリッと焼き上げることができる。また用済み後の熱排気a’は、ピザのような素材より発生した蒸気bと共に排気穴8より排出されることにより、熱源１からの高熱を含んだ熱排気aを次から次へと効率良く鉄板２上のピザ表面側に誘導することができるのである。
【００１１】
また、通常、コンロへの鉄板２の設置は、図１のようにコンロの五徳９に載せることになるが、上記蓋支持部４をその外周に形成される枠部６に一体に連続させ、或いは、一体的に連続させ、その枠部６を熱源１のケーシング７の立上り縁を保持部１０として載置支持させるようにすると、五徳が不要となるため、鉄板２の設置が容易になるとともに、鉄板２の据え付けが安定し、ピザなどの調理が安定した状態で行え、使い勝手が向上する。
【００１２】
更に、上記蓋支持部４、枠部６等が鉄板２より連出して形成されるので、加工は鉄板素材を例えばレーザービームによる切断や端部の曲げ加工、絞り加工等により簡単かつ種々の形状にも簡単に対応できる利点がある。特に種々のサイズの鉄板であっても、金型を要することなく、簡単かつ安価に対応できる。
【考案を実施するための最良の形態】
【００１３】
以下、本考案を図面により説明する。図１はガスコンロのような燃焼系の熱源１上に鉄板２を載せ、この鉄板２にピザなどの素材を収容して調理する概略を示すもので、ピザであれば必要に応じて鉄板２上にはピザ焼き網や蓄熱板等の燃焼補助部材１１が設置される場合もある。
【００１４】
鉄板２の外周適所からは放射状に蓋支持部４が延出され、蓋体３は鉄板２よりも一回り程度大きいサイズであって、蓋体３は蓋支持部４に保持され、蓋体３内周と鉄板２外周との間に熱気導入隙間５が形成され、熱源１の熱排気の一部がこの熱気導入隙間５から鉄板２上のピザなどの素材表面に誘導されてその焼成に充てられることになる。
【００１５】
ここで蓋支持部４は単に水平に延出しただけでも構わないが、先端を上方に折曲しておくと、蓋体３のストッパー１２となる。また、鉄板２の適所には素材の位置を保持する滑り止め１３を施すことができる。
【００１６】
図３は蓋支持部４の外方に更に枠部６を全周又は一部に延出したもので、この枠部６は熱源１を有するコンロなどのケーシング７の周辺の保持部１０に保持させて設置するもので、従来の五徳を用いることなく、コンロなどに鉄板２を簡単に安定して設置し、その鉄板２上に蓋体３を被せて熱源１からの熱排気をピザなどの素材の表面に誘導する熱気導入隙間５を形成することができる。保持部１０は図５（a）のような凹み部であっても良いし、同図（ｂ）のような立上り部であっても良い。
【００１７】
ここで、蓋支持部４は、通常２か所以上の複数個所から放射状に延出されるものであり、鉄板２及び蓋体３の形状は円形、角形等、任意の形状とすることができる。また、枠部６はケーシング７に合致した形状となるが、これも円形、角形等任意である。また枠部６は通常は環状に連なるものであるが、ケーシング７に係合保持できるものであれば、対向する２辺のみでも構わない。更に、図３、４のように、鉄板２と枠部６が異なる形状であっても構わない。
【００１８】
蓋体３は、図３のようにコンロのケーシング７の適所の枢支部１６により回動自在に設置することもできるが、分離した形態であれば、鉄板２を覆わない場合は例えば図２のようなスタンド１４に立てれば良い。１５は蓋体３の取っ手である。
【００１９】
ここで、蓋体３は、鉄やステンレス、アルミニウム、銅あるいはこれらの合金、クラッド、陶磁器、耐火ガラス等任意に選定でき、形状も鉄板２に合わせて丸や四角、楕円等任意である。その他、アルミホイルであれば、使い捨てであっても良い。排気穴８は単一でも良いし、複数個でも構わず、またサイズが可変なものや開閉可能なものでも良い。
【００２０】
図１の実施例のものをカセットガスコンロ（Ｍａｘ４５０℃）で４００℃まで加熱し、ピザ焼成を行うと、焼成時間も短縮され、蒸気排出で表面もパリッとした焼き上がりで、ピザ焼き網またはピザプレート併用で焦げ付きなしで焼き上げることができた。
【産業上の利用可能性】
【００２１】
本考案は、主としてピザを素材に想定したものであるが、素材が調理中に外周が強い火力で加熱焼成されると共にその加熱に伴い蒸気を発生し、しかもその蒸気が残ると都合の悪いピザやグラタン、ドリアそしてホイル包み焼きも等の調理に好適な調理蓋を提供できる。蒸気調理例は素材を裏返さないものであるが、ハンバーグ、焼き魚等、両面を均等に焼く場合は調理の途中で適宜素材を裏返せばよい。
【００２２】
尚、排気穴８を開閉可能にしておくと、例えば餃子のように後半に蒸気で蒸す工程を行う場合に排気穴８を閉めて対応することも可能であり、閉じたり、或いはその間で任意の開口度に調整することも可能とし、庫内温度や蒸気量の調整をすることにより調理の目的に柔軟に対応させることができる。
【００２３】
また熱源１は固定であれば、家庭用、業務用は勿論であるが、カセットコンロ、キャンプ地のかまどやたき火等を使えば、アウトドア用としても適用可能である。鉄板２は、鉄素材のほか、ステンレス系、アルミ系、銅などの非鉄金属、陶板等のセラミック系であっても、主旨を逸脱しない限り適応可能である。
【図面の簡単な説明】
【００２４】
【図１】本考案の一実施例の使用状態の一部断面にした概略正面図。
【図２】本考案の鉄板と蓋体の分離斜視図。
【図３】同上の他の実施例の概略図であって、（a）は正面図、（ｂ）は一部鉄板と蓋体を取り外した状態の平面図、（ｃ）は側面図。
【図４】同上の鉄板の斜視図。
【図５】同上の鉄板の保持状態の概略断面図で、（a）はケーシングの凹み状態の保持部に鉄板の枠部を支持させたもの、（ｂ）は枠部をケーシングの立上り状態の保持部に支持させたもの。
【符号の説明】
【００２５】
１は熱源、２は鉄板、３は蓋体、４は蓋支持部、５は熱気導入隙間、６は枠部、７はケーシング。
【図１】
0003211771.tif 000003
【図２】
0003211771.tif 000004
【図３】
0003211771.tif 000005
【図４】
0003211771.tif 000006
【図５】
0003211771.tif 000007